(57)【特許請求の範囲】
【請求項１】
金具本体と固定ねじとからなり、金具本体は、２本のセパレータを平行に挿通するための一対の平行に伸びる挿通孔と、これら挿通孔を挿通する前記セパレータと直交方向に、かつ交わらないようにセパレータを挿通するための挿通孔と、前記一対の平行に伸びる挿通孔に達するよう固定用のねじ孔とを設けてなる一方、固定ねじは、前記金具本体の前記一対の平行に伸びる挿通孔に挿通したセパレータを対応する挿通孔面に圧接して固定すべく前記固定用のねじ孔に螺合するよう構成したことを特徴とする建築用セパレータの固定金具。
【請求項２】
金具本体と固定ねじとからなり、金具本体は、２本のセパレータを平行に挿通するための一対の平行に伸びる挿通孔と、これら挿通孔の間に位置してこれら挿通孔を挿通する前記セパレータと直交方向に、かつ交わらないようにセパレータを挿通するための挿通孔と、前記一対の平行に伸びる挿通孔に達するようこれら挿通孔に対して直交方向に伸びる一対の固定用のねじ孔とを設けてなる一方、固定ねじは、前記金具本体の前記一対の平行に伸びる挿通孔に挿通したセパレータを対応する挿通孔面に圧接して固定すべく前記固定用のねじ孔に螺合するよう構成したことを特徴とする建築用セパレータの固定金具。
【請求項３】
金具本体と固定ねじとからなり、金具本体は、筒体からなるとともに、２本のセパレータを平行に挿通するための一対の平行に伸びる挿通孔を軸方向に間隔をおいて設け、これら挿通孔の間に位置してこれら挿通孔を挿通する前記セパレータと直交方向に、かつ交わらないようにセパレータを挿通するための挿通孔を設け、前記一対の平行に伸びる挿通孔に達するよう軸方向に伸びる一対の固定用のねじ孔を開口両端部に設けてなる一方、固定ねじは、前記金具本体の前記一対の平行に伸びる挿通孔に挿通したセパレータを対応する挿通孔面に圧接して固定すべく前記固定用のねじ孔に螺合するよう構成したことを特徴とする建築用セパレータの固定金具。
【発明の詳細な説明】
【０００１】
【発明の属する技術分野】
本発明は、コンクリート型枠間に配置される建築用セパレータ同士を固定するための固定金具に関し、特に直交方向に伸びるセパレータ同士を固定し得るとともに、平行方向に伸びるセパレータ同士をも固定し得る固定金具に関する。
【０００２】
【従来の技術】
従来の一般的なセパレータの固定金具は、同一直線上に伸びるセパレータ同士を固定し得るだけであり、直交方向に伸びるセパレータ同士を固定することができなかった。コンクリート建造物にドア部や窓部等の開口部を設ける場合には、壁面を形成するための一対の対向するコンクリート型枠と、壁面の開口面を形成するための前記各コンクリート型枠と直交するコンクリート型枠とが必要になるが、従来の固定金具は直交方向に伸びるセパレータ同士を固定することができないので、このように配置されたコンクリート型枠をセパレータで支持することはできなかった。
【０００３】
このため従来では、一対の対向するコンクリート型枠はセパレータで支持し、これと直交するコンクリート型枠については、開口部分にサポートと称される支持部材を縦横に配置して支持していた。ところがこの構成によると、開口部分がサポートによって閉塞された状態になるので、コンクリート建造物を構築中に、この開口部分を通過して作業することができないという不都合があった。この不都合を解消するには、三方向のコンクリート型枠をセパレータによって支持すればよいのであるが、そのためには、直交方向に伸びるセパレータ同士を固定し得る固定金具が必要である。
【０００４】
この要望に応えるものとして、既に、本願出願人らが提案した図６及び図７に示す二つの固定金具がある。まず、図６に示す固定金具１０１は、ブロック状本体１０２に互いに直交方向に交わらないように伸びる透孔１０３とねじ孔１０４とを設けたものである。また、図７に示す固定金具１１１は、一対の平行板１１２ａ，１１２ｂを有するＵ字状本体１１２に、前記平行板１１２ａ，１１２ｂにねじ孔１１４ａ，１１４ｂを設けたもので、前記各ねじ孔１１４ａ，１１４ｂと直交方向に貫通する貫通部１１３を有している。そして、透孔１０３と貫通部１１３はセパレータを貫通するためのものであり、一方、ねじ孔１０４と各ねじ孔１１４ａ，１１４ｂはセパレータの端部に設けたねじ部を螺合するためのものである。
【０００５】
上述した固定金具１０１は、図８に示すように、あらかじめ固定金具１０１の透孔１０３を貫通させたセパレータ２０４の両端ねじ部２０４ａ，２０４ｂを、対向配置されたコンクリート型枠２０１，２０２に長ナット２０５とボルト２０６によりそれぞれ固定する一方、セパレータ２０７の一端ねじ部２０７ｂを固定金具１０１のねじ孔１０４に螺合して固定したうえ、他端ねじ部２０７ａを、前記コンクリート型枠２０１，２０２と直交して配置された、開口部側のコンクリート型枠２０３に長ナット２０５とボルト２０６により固定することにより、直交方向のセパレータ２０４，２０７を固定することができる。
【０００６】
各セパレータ２０４，２０７は、一般にＢＣセパレータと称される両端のねじ部の長さが異なるタイプのものか、一般にＢセパレータと称される両端のねじ部の長さが等しいタイプのものが使用される。ＢＣセパレータの場合には、各ねじ部２０４ｂ，２０７ｂの方が各ねじ部２０４ａ，２０７ａよりも長いねじ部となるように使用した方が、作業が容易となる。なお、図８中、２０８はコンクリート型枠を支持するための一般に単管と称される支持管、２０９はコンクリート型枠が突き合わされる角部を押さえるための桟木である。
【０００７】
また、固定金具１１１も、固定金具１０１と同様にして直交方向のセパレータ２０４，２０７を固定することができる。すなわち、この固定金具１１１は、前記固定金具１０１の透孔１０３に対してその貫通部１１３を、前記固定金具１０１のねじ孔１０４に対してその各ねじ孔１１４ａ，１１４ｂを、それぞれ対応するようにして使用するものである（図８参照）。
【０００８】
【発明が解決しようとする課題】
上述のように、これら固定金具１０１，１１１は、直交する一方のセパレータ２０７のねじ部２０７ｂをねじ孔１０４あるいは各ねじ孔１１４ａ，１１４ｂと螺合して固定するので、これら固定金具１０１，１１１を配置する位置に制約があり、前記セパレータ２０７のねじ部２０７ｂと対応する位置に直交するセパレータ２０４を設けなければならない。このため、コンクリート型枠２０１，２０２，２０３内に配置する鉄筋の構成によっては、コンクリート型枠２０１，２０２，２０３の所望の位置に各セパレータ２０４，２０７を固定することができず、これら固定金具１０１，１１１を使用できない場合があるという不都合を生じる。
【０００９】
また、上述した固定金具１０１，１１１では、同一直線状に伸びる２本のセパレータは、セパレータ端に設けたねじ部（図８におけるねじ部２０４ａ，２０４ｂ，２０７ａ，２０７ｂ参照）を各ねじ孔１０４，１１４ａ，１１４ｂに螺合することによって固定可能であるが、同一方向でも互いに平行に伸びる２本のセパレータ同士に対しては使用することができなかった。
【００１０】
本発明は、上述した従来の固定金具１０１，１１１が有している不都合を解消した、コンクリート型枠間に配置される、特に直交方向及び平行方向に伸びるセパレータ同士を固定するのに好適な固定金具を提供することを目的とする。
【００１１】
【課題を解決するための手段】
上述した目的を達成するために、本発明の請求項１に記載した建築用セパレータの固定金具は、金具本体と固定ねじとからなり、金具本体は、２本のセパレータを平行に挿通するための一対の平行に伸びる挿通孔と、これら挿通孔を挿通する前記セパレータと直交方向に、かつ交わらないようにセパレータを挿通するための挿通孔と、前記一対の平行に伸びる挿通孔に達するよう固定用のねじ孔とを設けてなる一方、固定ねじは、前記金具本体の前記一対の平行に伸びる挿通孔に挿通したセパレータを対応する挿通孔面に圧接して固定すべく前記固定用のねじ孔に螺合するよう構成したことを特徴とする。
【００１２】
本発明の請求項２に記載した建築用セパレータの固定金具は、金具本体と固定ねじとからなり、金具本体は、２本のセパレータを平行に挿通するための一対の平行に伸びる挿通孔と、これら挿通孔の間に位置してこれら挿通孔を挿通する前記セパレータと直交方向に、かつ交わらないようにセパレータを挿通するための挿通孔と、前記一対の平行に伸びる挿通孔に達するようこれら挿通孔に対して直交方向に伸びる一対の固定用のねじ孔とを設けてなる一方、固定ねじは、前記金具本体の前記一対の平行に伸びる挿通孔に挿通したセパレータを対応する挿通孔面に圧接して固定すべく前記固定用のねじ孔に螺合するよう構成したことを特徴とする。
【００１３】
本発明の請求項３に記載した建築用セパレータの固定金具は、金具本体と固定ねじとからなり、金具本体は、筒体からなるとともに、２本のセパレータを平行に挿通するための一対の平行に伸びる挿通孔を軸方向に間隔をおいて設け、これら挿通孔の間に位置してこれら挿通孔を挿通する前記セパレータと直交方向に、かつ交わらないようにセパレータを挿通するための挿通孔を設け、前記一対の平行に伸びる挿通孔に達するよう軸方向に伸びる一対の固定用のねじ孔を開口両端部に設けてなる一方、固定ねじは、前記金具本体の前記一対の平行に伸びる挿通孔に挿通したセパレータを対応する挿通孔面に圧接して固定すべく前記固定用のねじ孔に螺合するよう構成したことを特徴とするものであり、筒体としては円筒体が最適である。
【００１４】
【発明の実施の形態】
以下に、本発明の好適な実施形態を添付図面の図１〜図５に基づいて詳細に説明する。ここにおいて、図１は固定金具の分解斜視図、図２は金具本体の中央縦断面図、図３は直交方向のセパレータを固定する使用状態を概略的に示す平面図、図４は同じく要部の斜視図、図５は平行方向のセパレータを固定する使用状態を概略的に示す要部の斜視図である。
【００１５】
図１及び図２に示すように、固定金具１は、固定対象であるセパレータの径より大きな外径を有する円筒体からなる金具本体２と、この金具本体２に螺合する固定ねじ７ａ，７ｂとからなる。前記金具本体２には、２本のセパレータを平行に挿通するための挿通孔３ａ，３ｂ及び４ａ，４ｂを軸方向に間隔をおいて径方向に設けている。この挿通孔３ａ，３ｂと挿通孔４ａ，４ｂとが一対の挿通孔を形成し、これら一対の挿通孔３ａ，３ｂ及び４ａ，４ｂの間に位置して、これら挿通孔３ａ，３ｂ及び４ａ，４ｂを挿通するセパレータと直交方向に、かつ交わらないようにセパレータを挿通するための挿通孔５ａ，５ｂを同じく径方向に設けている。
【００１６】
さらに、金具本体２には、前記一対の挿通孔３ａ，３ｂ及び４ａ，４ｂに達するよう軸方向に、換言すると、これら挿通孔３ａ，３ｂ及び４ａ，４ｂに対して直交方向に、伸びる一対の固定用のねじ孔６ａ，６ｂを、金具本体２の開口両端の内周面にねじ切りすることによって形成している。
【００１７】
一方、固定ねじ７ａ，７ｂは、金具本体２の長手方向両端に形成した固定用のねじ孔６ａ，６ｂに螺合するよう構成している。この固定ねじ７ａ，７ｂは、前記金具本体２の一対の挿通孔３ａ，３ｂ及び４ａ，４ｂに挿通したセパレータを、前記各挿通孔３ａ，３ｂ及び４ａ，４ｂ面の挿通孔５ａ，５ｂ側に圧接して固定するためのものである。
【００１８】
次に、上述した固定金具１の使用方法を図３〜図５に基づいて説明する。まず、２本の直交方向のセパレータを固定する場合について、図３及び図４に基づいて説明する。前記固定金具１をねじ孔６ａ，６ｂが上下に位置する状態として、その挿通孔３ａ，３ｂにセパレータ１３を挿通し、このセパレータ１３の両端ねじ部１３ａ，１３ｂを、対向配置されたコンクリート型枠１２ａ，１２ｂにＰコン１５，１６の雌ねじ部に螺合して固定する。
【００１９】
一方、セパレータ１４の一端ねじ部１４ｂ側を固定金具１の挿通孔３ａ，３ｂに挿通し、このセパレータ１４の他端ねじ部１４ａは、コンクリート型枠１２ａ，１２ｂと直交して配置された開口部側のコンクリート型枠１１にＰコン１７の雌ねじ部に螺合して固定する。そして、コンクリート型枠１１を貫通した前記Ｐコン１７のボルト部には締め付け金具１９を取り付け、支持管１８ａ，１８ｂを締め付けて型枠１１を支持している。
【００２０】
この際、固定金具１はセパレータ１３に沿って移動可能であるから、前記ねじ部１４ｂ側を挿通孔３ａ，３ｂに挿通する作業は容易になされる。そして、ねじ孔６ａに固定ねじ７ａを螺合し、前記セパレータ１４の一端ねじ部１４ｂ側を各挿通孔３ａ，３ｂ面に圧接して固定する。これによって、直交方向のセパレータ１３，１４を固定することができる。なお、この固定の際に、ねじ部１４ｂが各挿通孔３ａ，３ｂに対応する必要はなく、セパレータ１４の固定位置についても、固定金具１は自由度を有している。
【００２１】
続いて、図５に基づいて２本の平行方向のセパレータを固定する場合を説明する。２本の互いに平行に伸び、各一端は対向するコンクリート型枠に固定されたセパレータ２１，２２の他端ねじ部２１ａ，２２ａ側を、金具本体２の一対の挿通孔３ａ，３ｂ，４ａ，４ｂにそれぞれ挿通し、ねじ孔６ａ，６ｂに固定ねじ７ａ，７ｂを螺合し、前記各セパレータ２１，２２を各挿通孔３ａ，３ｂ，４ａ，４ｂ面に圧接して固定するものである。なお、この固定の際に、各挿通孔３ａ，３ｂ，４ａ，４ｂ面に圧接する前記各セパレータ２１，２２の部分は、ねじ部２１ａ，２２ａに限られず、コンクリート型枠の対向間隔やセパレータ２１，２２の長さに応じて適宜変更される。
【００２２】
この使用方法は、互いの反対側端をコンクリート型枠に固定した各セパレータ２１，２２のコンクリート型枠固定端とは反対側の自由端同士を固定する場合のほか、互いの同一側端をコンクリート型枠に固定した各セパレータ２１，２２のコンクリート型枠固定端とは反対側の自由端同士を固定する場合にも適用可能である。
【００２３】
なお、本発明は上述した各実施形態に限定されるものではなく、例えば金具本体２は円筒体のほか、角筒体や柱状体、あるいは適宜形状のブロック体で構成してもよい。また、金具本体２をブロック体で構成した場合には、挿通孔５ａ，５ｂを、必ずしも一対の平行に伸びる挿通孔３ａ，３ｂ及び４ａ，４ｂの間に設ける必要はないし、固定用のねじ孔６ａ，６ｂも互いに対向するよう設ける必要はない。さらに、使用方法は、代表的な２つの場合を説明したが、これらの場合に限定されるものでないことはもちろんである。
【００２４】
【発明の効果】
以上のように、本発明の建築用セパレータの固定金具によれば、簡単な構成によって、直交方向及び平行方向に伸びる２本のセパレータ同士を確実に固定することができるほか、挿通孔と固定ねじを利用して行うセパレータの固定部分は両端のねじ部に限定されないので、固定作業が容易になるという効果を有する。
【図面の簡単な説明】
【図１】固定金具の分解斜視図。
【図２】金具本体の中央縦断面図。
【図３】直交方向のセパレータを固定する使用状態を概略的に示す平面図。
【図４】同じく要部の斜視図。
【図５】平行方向のセパレータを固定する使用状態を概略的に示す要部の斜視図。
【図６】従来の固定金具を示す斜視図。
【図７】従来の他の固定金具を示す斜視図。
【図８】従来の固定金具の使用状態を示す概略的な平面図。
【符号の説明】
１      固定金具
２      金具本体
３ａ，３ｂ，４ａ，４ｂ，５ａ，５ｂ      挿通孔
６ａ，６ｂ      ねじ孔
７ａ，７ｂ      固定ねじ
１３，１４，２１，２２      セパレータ
【図１】
0003665134.tif 000002
【図２】
0003665134.tif 000003
【図３】
0003665134.tif 000004
【図４】
0003665134.tif 000005
【図５】
0003665134.tif 000006
【図６】
0003665134.tif 000007
【図７】
0003665134.tif 000008
【図８】
0003665134.tif 000009